(57)【要約】【課題】数種類のパネルを選択して構成することで、組立を可能とし、ネジ、釘や金具等、その取付のため工具を不要とし、簡単な連結構成によって確実に固定できると共に、組立・組み換えも容易で、組立バリエーションも多様に設計できる箱状の組立家具を提供する。【解決手段】パネル２は、上下面が正方形で厚みを有し、各辺は、辺の中点から左及び右に伸びた長さ３と、前記厚みの幅４で切除した中央凹部５Ａと、残った両端凸部６Ｂを有する辺、又は、辺の中点から左及び右に伸びた長さ３と、前記厚みの幅４で残した中央凸部６Ａと、切除した両端凹部５Ｂを有する辺の何れかが形成される。また、前記各凸部６Ａ、６Ｂに辺と平行な貫通孔７が設けられる。パネル２の前記中央凹部５Ａと前記中央凸部６Ａとを嵌合して組み立て、前記各凸部６Ａ、６Ｂの貫通孔７に固定用ロッド８を嵌挿して固定する。【選択図】  図１
2014221140.tif 000002
【特許請求の範囲】
【請求項１】
上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記各凸部に辺と平行な貫通孔が設けられたパネルと、前記パネルの貫通孔に嵌挿する固定用ロッドとで構成し、前記中央凹部と前記中央凸部が嵌合することを特徴とする組立家具。
【請求項２】
四辺に中央凹部を形成したパネル、一辺に中央凸部を形成し、他の三辺は中央凹部を形成したパネル、及び、対向する角を構成する一方の隣辺は中央凹部を形成し、他方の隣辺は中央凸部を形成したパネルの中から、必要な種類と数量のパネルを選択して構成することを特徴とする請求項１に記載の組立家具。
【請求項３】
四辺に中央凸部を形成したパネル、一辺に中央凹部を形成し、他の三辺は中央凸部を形成したパネル、一の対向する辺に中央凹部を形成し、他の対向する辺に中央凸部を形成したパネルの中から、必要な種類と数量のパネルを選択して構成することを特徴とする請求項２に記載の組立家具。
【請求項４】
中央凹部が中央凸部よりも辺と並行な幅が長いことを特徴とする請求項１乃至３のいずれかに記載の組立家具。
【請求項５】
組み立てた家具の固定用ロッドを嵌挿した貫通孔の外面に遮蔽蓋を装着したことを特徴とする請求項１乃至４のいずれかに記載の組立家具。
【発明の詳細な説明】
【技術分野】
【０００１】
本発明は組立家具に関するものであり、詳しくは、特定のパネルを組み合わせて釘やボルトを使用する事無く容易に収納容器等の箱状の家具を構成できることのできる組立家具に関する。    
【背景技術】
【０００２】
従来の組立家具は、例えば特開平８−３６６号公報には、箱体を複数個並べ又は積み重ね、隣接箱体の連結は木ネジ若しくはボルトナットで連結、又は連結ピンと連結具を使用することが開示されている。
【０００３】
又、特開平２００４−３０５３３７号公報には、隣接箱体の連結はピン、接着剤或いは圧入嵌合するものとし、基本ボックスの構成材は第一基本板材、第二基本板材及び連結板の接合端の形状が開示されている。
【０００４】
そして、特開平５‐４２０２１号公報には、複数の箱体及び側板を所定の間隔をあけて配置し、該箱体及び側板の上部に一枚の天板を載置して、箱体間及び箱体と側板の間にも収納部を形成した組立家具が開示されている。
【０００５】
さらに、特開２０１１‐６７５１１号公報には、４枚の板を筒状に板と板を接合してなる筒状ボックスと筒状ボックスと筒状ボックスの連結用の連結板からなり、筒状ボックスには板と板の接合部に、筒状ボックスの板厚内で連結用凹凸を設け、筒状ボックスの連結用凹凸に嵌合可能な凹凸を有する連結板で構成される組立家具が開示されている。  
【先行技術文献】
【特許文献】
【０００６】
【特許文献１】特開平８−３６６号公報
【特許文献２】特開平２００４−３０５３３７号公報
【特許文献３】特開平５−４２０２１号公報
【特許文献４】特開２０１１−６７５１１号公報
【発明の概要】
【発明が解決しようとする課題】
【０００７】
上記の各組立家具は、隣接箱体はピン、木ネジ、接着剤、連結具連結用部材を用いて組立てられ、連結部材及び組立用工具も必要となり、組立・分解に時間を要し、基本ボックスの構成材の連結板は、相互の連結用として凹凸及び斜面カットや端面がＶ形状とかなり複雑で精巧な加工が必要でありコスト高が考えられる。
【０００８】
そこで、本発明は数種類のパネルを選択して構成することで、組立を可能とし、ネジ、釘や金具等、その取付のため工具を不要とし、簡単な連結構成によって確実に固定できると共に、組立・組み換えも容易で、組立バリエーションも多様に設計できる箱状の組立家具を提供せんとするものである。
【課題を解決するための手段】
【０００９】
本発明に係る組立家具の請求項１の発明は、上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記各凸部に辺と平行な貫通孔が設けられたパネルと、前記パネルの貫通孔に嵌挿する固定用ロッドとで構成し、前記中央凹部と前記中央凸部が嵌合することを特徴とするものである。
【００１０】
請求項２の組立家具の請求項１の発明は、請求項１に記載の発明において、四辺に中央凹部を形成したパネル、一辺に中央凸部を形成し、他の三辺は中央凹部を形成したパネル、及び、対向する角を構成する一方の隣辺は中央凹部を形成し、他方の隣辺は中央凸部を形成したパネルの中から、必要な種類と数量のパネルを選択して構成することを特徴とするものである。
【００１１】
請求項３の組立家具の発明は、請求項２に記載の発明において、四辺に中央凸部を形成したパネル、一辺に中央凹部を形成し、他の三辺は中央凸部を形成したパネル、一の対向する辺に中央凹部を形成し、他の対向する辺に中央凸部を形成したパネルの中から、必要な種類と数量のパネルを選択して構成することを特徴とするものである。
【００１２】
請求項４の組立家具の発明は、請求項１乃至３のいずれかに記載の発明において、中央凹部が中央凸部よりも辺と並行な幅が長いことを特徴とするものである。
【００１３】
請求項５の組立家具の発明は、請求項１乃至４のいずれかに記載の発明において、組み立てた家具の固定用ロッドを嵌挿した貫通孔の外面に遮蔽蓋を装着したことを特徴とするものである。
【発明の効果】
【００１４】
請求項１の発明は、上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記中央凹部と前記中央凸部が嵌合するため、凹凸形状の異なる辺同士は互いに嵌合し、同一面方向に同一幅、又は同一高さで連設可能となる効果を有する。
【００１５】
また、厚みの幅で切除した中央凹部、又、残った中央凸部も同一厚みの長方形となるため、直角方向へも各面が面一の整然とした連結となる効果を発揮する。
【００１６】
そして、同一面方向又は直角方向への連結であっても、嵌合した当接面において、各凸部に辺と平行な貫通孔が連続した一直線上に形成されるため、固定用ロッドを嵌挿することで離別しない強固な連結を維持できるものであり、その作業も極めて容易に収納容器等の箱状の家具を構成できる効果を有する。
【００１７】
請求項２の発明の効果は、請求項１に記載の発明の効果に加えて、正方形の四辺の凹凸の態様を具体化した三種類のパネルの中から、必要な種類と数量のパネルを選択して構成することで、目的の箱状の家具を容易に構成できる効果を発揮する。
【００１８】
請求項３の発明の効果は、請求項２に記載の発明の効果に加えて、正方形の四辺の凹凸の態様を具体化した更に三種類のパネルを加えることによって、より複雑な形態の家具の構成を可能とする効果を発揮する。
【００１９】
請求項４の発明の効果は、請求項１乃至３に記載の発明の効果に加えて、中央凹部が中央凸部よりも辺と並行な幅を長くすることにより、両者の嵌合を滑らかに成し得る効果を発揮し、また隙間が生じても固定用ロッドを嵌挿することで離別することは無い。
【００２０】
請求項５の発明の効果は、請求項１乃至４に記載の発明の効果に加えて、組み立てた家具の固定用ロッドを嵌挿した貫通孔の外面に遮蔽蓋を装着したものであるから、固定用ロッドの抜け脱を防止して箱状の家具を容易かつ確実に構成できる効果を発揮する。
【図面の簡単な説明】
【００２１】
【図１】本発明の実施の一形態を示す組み立てた状態を示す斜視図である。
【図２】パネルの一実施の形態を示す正面図である。
【図３】他のパネルの一実施の形態を示す正面図である。
【図４】他のパネルの一実施の形態を示す正面図である。
【図５】遮蔽蓋の一実施の形態を表す正面図である。
【図６】他の遮蔽蓋一実施の形態を表す正面図である。
【図７】パネルを構成する一実施の形態を示す片面の裏面図である。
【図８】図７の縦断側面図である。
【図９】本発明の他の実施の形態を示す組み立てた状態を示す後面からの斜視図である。
【図１０】本発明の他の実施の形態を示す組み立てた状態を示す側面からの斜視図である。
【図１１】他のパネルの一実施の形態を示す正面図である。
【図１２】他のパネルの一実施の形態を示す正面図である。
【図１３】他のパネルの一実施の形態を示す正面図である。
【図１４】他のパネルの一実施の形態を示す正面図である。
【発明を実施するための形態】
【００２２】
本発明の実施の形態を図面に基づいて説明する。
図１は本発明の実施の一形態を示す組み立てた状態を示す斜視図であり、前面が開放された正六面体の箱状の家具１Ａである。
【００２３】
各面を構成するパネルは、上下面が正方形で厚みを有し、各辺は、辺の中点から左及び右に伸びた長さ３と、前記厚みの幅４で切除した中央凹部５Ａと、残った両端凸部６Ｂ、６Ｂを有する辺、又は、辺の中点から左及び右に伸びた長さと、前記厚みの幅で残した中央凸部６Ａと、切除した両端凹部５Ｂ、５Ｂを有する辺の何れかが形成され、前記各凸部６Ａ、６Ｂ、に辺と平行な貫通孔７が設けられ、前記中央凹部５Ａと前記中央凸部６Ａが嵌合するものと成っている。
【００２４】
そこで、接合するパネルを直角方向に、互いの中央凹部５Ａと中央凸部６Ａとを嵌合して組み立てると、両端凹部５Ｂと両端凸部６Ｂも障り無く嵌り合い、一直線状に連設した中央凸部６Ａと両端凸部６Ｂの貫通孔７に固定用ロッド８を嵌挿して固定することで、前面が開放された正六面体の箱状の家具１Ａが構成されている。
【００２５】
用いられるパネルは三種類あり、図２は対向する角を構成する一方の隣辺は中央凹部５Ａを形成し、他方の隣辺は中央凸部６Ａを形成したパネル２Ａ、図３は一辺に中央凸部６Ａを形成し、他の三辺は中央凹部５Ａを形成したパネル２Ｂ，及び図４は四辺に中央凹部５Ａを形成したパネル２Ｃである。
【００２６】
図１の箱状の家具では、上下左右を４枚のパネル２Ａで、後面をパネル２Ｃで組み立て、１２本の固定用ロッド８で固定したものである。
固定用ロッド８同士が干渉しないように、各パネルの一辺の長さよりも短く設計される。
【００２７】
また、開口した前面において、中央凹部５Ａの部分には固定用ロッド８が出現しており、中央凹部５Ａ内に物や人の手等が入って引っ掛かるのを防止し、また、内部の仕切りを係止する部材の取り付けに利用することもできる。
【００２８】
図５は、貫通孔７の表面に近い開口部分へ圧入する遮蔽蓋９であり、固定用ロッド８が抜け出すことを防止する。
また、遮蔽蓋９の頭部９１と圧入する貫通孔７の形成端面と面一にして体裁を良孔にするもの、或いは図６に示すように、頭部９１に摘み９２を突設して着脱操作を容易としたものが考えられる。
【００２９】
図７はパネル２Ａを構成する片面２１Ａの裏面図、図８は縦断側面図である。
樹脂成型で形成したもので、同一の片面２１Ａ同士の裏面を接合してパネル２Ａを形成することができる。
接合手段は材料樹脂に適合した接着剤や熱溶着、超音波溶着、振動溶着等の手段によって容易に成し得、また、パネルに爪形状と爪嵌合部を付加し、ワンタッチで爪勘合接合も可能である。
【００３０】
他のパネル２Ｂ及び２Ｃもパネル２Ａと同様に樹脂成型によって容易に形成できるものである。
しかし、各パネル及び固定用ロッド又は遮蔽蓋の素材は、樹脂に限定されるものでなく、木材、紙材或いは金属材等を任意に選択して形成できるものである。
【００３１】
図９は本発明の他の実施の形態を示す組み立てた状態を示す後面からの斜視図であり、図１の正六面体の箱状の家具１Ａを横方向へ二個繋げた横幅を有する六面体の箱状の家具１Ｂを示す。
この実施の形態では、パネル２Ｃが後面右側（図９において）に配置して組み立てられ、また、横幅方向に連続する貫通孔７、７・・に嵌挿する固定用ロッド８は１本通しの長さを有するものを使用する。
【００３２】
図１０は、図１の正六面体の箱状の家具１Ａを横方向及び垂直方向へ八個繋げ、縦横奥行きが２倍の正六面体の箱状の家具１Ｃを示すものである。
このように、三種類のパネルを利用することによって任意の形態の箱状の家具を構成可能となり、直線方向に連続する貫通孔に固定用ロッド８を嵌挿することで強固に形態を維持できるものである。
【００３３】
さらに、図１１乃至図１３は、上記三種類に加えて選択可能になる他のパネルであり、図１１は対向する辺同士の一方は中央凹部５Ａを形成し、他方は中央凸部６Ａを形成したパネル２Ｄ、図１２は一辺に中央凹部５Ａを形成し、他の三辺は中央凸部６Ａを形成したパネル２Ｅ，及び図１３は四辺に中央凸部６Ａを形成したパネル２Ｆである。
【００３４】
以上の六種類のパネルにおいて、形成された中央凹部５Ａ及び中央凸部６Ａは一辺の長さの３分の１と成っている（滑らかな嵌合を図るため、実際は中央凹部５Ａが中央凸部６Ａよりミリ単位で長くし、或いは明らかに長くしても良い。）。
しかし、図１４のパネル２Ｄにおいて、他の実施の形態例を示すように、形成する中央凹部５Ａ、又は中央凸部６Ａは辺の中点から左右へ伸びた長さを有するものであればよく、両端凸部６Ｂや両端凹部５Ｂの長さと異なっていても良い。
【００３５】
以上のように、本発明を図面に基づいて説明した実施の形態における具体的構成は一例であり、同様の作用効果を得られる他の構成又は手段を排除するものではない。
【符号の説明】
【００３６】
１Ａ，１Ｂ，１Ｃ  家具
２Ａ，２Ｂ，２Ｃ，２Ｄ，２Ｅ，２Ｆ  パネル
３    長さ
４    幅
５Ａ  中央凹部
５Ｂ  両端凹部  
６Ａ  中央凸部
６Ｂ  両端凸部
７    貫通孔
８    固定用ロッド
９    遮蔽蓋
９１  頭部
９２  摘み
【図１】
2014221140.tif 000003
【図２】
2014221140.tif 000004
【図３】
2014221140.tif 000005
【図４】
2014221140.tif 000006
【図５】
2014221140.tif 000007
【図６】
2014221140.tif 000008
【図７】
2014221140.tif 000009
【図８】
2014221140.tif 000010
【図９】
2014221140.tif 000011
【図１０】
2014221140.tif 000012
【図１１】
2014221140.tif 000013
【図１２】
2014221140.tif 000014
【図１３】
2014221140.tif 000015
【図１４】
2014221140.tif 000016
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記各凸部に辺と平行な貫通孔が設けられたパネルと、固定用ロッドとで構成され、
四辺に中央凹部を形成したパネル、一辺に中央凸部を形成し、他の三辺は中央凹部を形成したパネル、及び、対向する角を構成する一方の隣辺は中央凹部を形成し、他方の隣辺は中央凸部を形成したパネルの中から必要な種類と数量のパネルを選択し、前記中央凹部と前記中央凸部を嵌合して連結し、連接した凸部の貫通孔に固定用ロッドを嵌挿し、前面が開放され、内部仕切り無しで箱状に構成することを特徴とする組立家具。
【請求項２】
四辺に中央凸部を形成したパネル、一辺に中央凹部を形成し、他の三辺は中央凸部を形成したパネル、一の対向する辺に中央凹部を形成し、他の対向する辺に中央凸部を形成したパネルの中から、必要な種類と数量のパネルを選択し、前面が開放され、内部仕切り無しで箱状に構成することを特徴とする請求項１に記載の組立家具。
【請求項３】
中央凹部が中央凸部よりも辺と並行な幅が長いことを特徴とする請求項１又は２のいずれかに記載の組立家具。
【請求項４】
組み立てた家具の固定用ロッドを嵌挿した貫通孔の外面に遮蔽蓋を装着したことを特徴とする請求項１乃至３のいずれかに記載の組立家具。
【手続補正２】
【補正対象書類名】明細書
【補正対象項目名】全文
【補正方法】変更
【補正の内容】
【発明の詳細な説明】
【技術分野】
【０００１】
本発明は組立家具に関するものであり、詳しくは、特定のパネルを組み合わせて釘やボルトを使用する事無く容易に収納容器等の箱状の家具を構成できることのできる組立家具に関する。
【背景技術】
【０００２】
従来の組立家具は、例えば特開平８−３６６号公報には、箱体を複数個並べ又は積み重ね、隣接箱体の連結は木ネジ若しくはボルトナットで連結、又は連結ピンと連結具を使用することが開示されている。
【０００３】
又、特開平２００４−３０５３３７号公報には、隣接箱体の連結はピン、接着剤或いは圧入嵌合するものとし、基本ボックスの構成材は第一基本板材、第二基本板材及び連結板の接合端の形状が開示されている。
【０００４】
そして、特開平５−４２０２１号公報には、複数の箱体及び側板を所定の間隔をあけて配置し、該箱体及び側板の上部に一枚の天板を載置して、箱体間及び箱体と側板の間にも収納部を形成した組立家具が開示されている。
【０００５】
さらに、特開２０１１−６７５１１号公報には、４枚の板を筒状に板と板を接合してなる筒状ボックスと筒状ボックスと筒状ボックスの連結用の連結板からなり、筒状ボックスには板と板の接合部に、筒状ボックスの板厚内で連結用凹凸を設け、筒状ボックスの連結用凹凸に嵌合可能な凹凸を有する連結板で構成される組立家具が開示されている。
【先行技術文献】
【特許文献】
【０００６】
【特許文献１】特開平８−３６６号公報
【特許文献２】特開平２００４−３０５３３７号公報
【特許文献３】特開平５−４２０２１号公報
【特許文献４】特開２０１１−６７５１１号公報
【発明の概要】
【発明が解決しようとする課題】
【０００７】
上記の各組立家具は、隣接箱体はピン、木ネジ、接着剤、連結具連結用部材を用いて組立てられ、連結部材及び組立用工具も必要となり、組立・分解に時間を要し、基本ボックスの構成材の連結板は、相互の連結用として凹凸及び斜面カットや端面がＶ形状とかなり複雑で精巧な加工が必要でありコスト高が考えられる。
【０００８】
そこで、本発明は数種類のパネルを選択して構成することで、組立を可能とし、ネジ、釘や金具等、その取付のため工具を不要とし、簡単な連結構成によって確実に固定できると共に、組立・組み換えも容易で、組立バリエーションも多様に設計できる箱状の組立家具を提供せんとするものである。
【課題を解決するための手段】
【０００９】
本発明に係る組立家具の請求項１の発明は、上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記各凸部に辺と平行な貫通孔が設けられたパネルと、固定用ロッドとで構成され、四辺に中央凹部を形成したパネル、一辺に中央凸部を形成し、他の三辺は中央凹部を形成したパネル、及び、対向する角を構成する一方の隣辺は中央凹部を形成し、他方の隣辺は中央凸部を形成したパネルの中から必要な種類と数量のパネルを選択し、前記中央凹部と前記中央凸部を嵌合して連結し、連接した凸部の貫通孔に固定用ロッドを嵌挿し、前面が開放され、内部仕切り無しで箱状に構成することを特徴とするものである。
【００１０】
請求項２の組立家具の請求項１の発明は、請求項１に記載の発明において、四辺に中央凸部を形成したパネル、一辺に中央凹部を形成し、他の三辺は中央凸部を形成したパネル、一の対向する辺に中央凹部を形成し、他の対向する辺に中央凸部を形成したパネルの中から、必要な種類と数量のパネルを選択し、前面が開放され、内部仕切り無しで箱状に構成することを特徴とするものである。
【００１１】
請求項３の組立家具の発明は、請求項２に記載の発明において、中央凹部が中央凸部よりも辺と並行な幅が長いことを特徴とするものである。
【００１２】
請求項４の組立家具の発明は、請求項１乃至３のいずれかに記載の発明において、組み立てた家具の固定用ロッドを嵌挿した貫通孔の外面に遮蔽蓋を装着したことを特徴とするものである。
【発明の効果】
【００１３】
請求項１の発明は、上下面が正方形で厚みを有し、各辺は、辺の中点から左及び右に伸びた長さと、前記厚みの幅で切除した中央凹部と、残った両端凸部を有する辺、又は、辺の中点から左及び右に伸びた長さと、前記厚みの幅で残した中央凸部と、切除した両端凹部を有する辺の何れかが形成され、前記中央凹部と前記中央凸部が嵌合するため、凹凸形状の異なる辺同士は互いに嵌合し、同一面方向に同一幅、又は同一高さで連設可能となる効果を有する。
【００１４】
また、厚みの幅で切除した中央凹部、又、残った中央凸部も同一厚みの長方形となるため、直角方向へも各面が面一の整然とした連結となる効果を発揮する。
【００１５】
そして、同一面方向又は直角方向への連結であっても、嵌合した当接面において、各凸部に辺と平行な貫通孔が連続した一直線上に形成されるため、固定用ロッドを嵌挿することで離別しない強固な連結を維持できるものであり、その作業も極めて容易に収納容器等の前面が開放され、内部仕切り無しで箱状の家具を構成できる効果を有する。
【００１６】
さらに、正方形の四辺の凹凸の態様を具体化した三種類のパネルの中から、必要な種類と数量のパネルを選択して構成することで、目的の箱状の家具を容易に構成できる効果を発揮する。
【００１７】
請求項２の発明の効果は、請求項１に記載の発明の効果に加えて、正方形の四辺の凹凸の態様を具体化した更に三種類のパネルを加えることによって、より複雑な形態の家具の構成を可能とする効果を発揮する。
【００１８】
請求項３の発明の効果は、請求項１乃至２に記載の発明の効果に加えて、中央凹部が中央凸部よりも辺と並行な幅を長くすることにより、両者の嵌合を滑らかに成し得る効果を発揮し、また隙間が生じても固定用ロッドを嵌挿することで離別することは無い。
【００１９】
請求項４の発明の効果は、請求項１乃至３に記載の発明の効果に加えて、組み立てた家具の固定用ロッドを嵌挿した貫通孔の外面に遮蔽蓋を装着したものであるから、固定用ロッドの抜け脱を防止して箱状の家具を容易かつ確実に構成できる効果を発揮する。
【図面の簡単な説明】
【００２０】
【図１】本発明の実施の一形態を示す組み立てた状態を示す斜視図である。
【図２】パネルの一実施の形態を示す正面図である。
【図３】他のパネルの一実施の形態を示す正面図である。
【図４】他のパネルの一実施の形態を示す正面図である。
【図５】遮蔽蓋の一実施の形態を表す正面図である。
【図６】他の遮蔽蓋一実施の形態を表す正面図である。
【図７】パネルを構成する一実施の形態を示す片面の裏面図である。
【図８】図７の縦断側面図である。
【図９】本発明の他の実施の形態を示す組み立てた状態を示す後面からの斜視図である。
【図１０】本発明の他の実施の形態を示す組み立てた状態を示す側面からの斜視図である。
【図１１】他のパネルの一実施の形態を示す正面図である。
【図１２】他のパネルの一実施の形態を示す正面図である。
【図１３】他のパネルの一実施の形態を示す正面図である。
【図１４】他のパネルの一実施の形態を示す正面図である。
【発明を実施するための形態】
【００２１】
本発明の実施の形態を図面に基づいて説明する。
図１は本発明の実施の一形態を示す組み立てた状態を示す斜視図であり、前面が開放された正六面体の箱状の家具１Ａである。
【００２２】
各面を構成するパネルは、上下面が正方形で厚みを有し、各辺は、辺の中点から左及び右に伸びた長さ３と、前記厚みの幅４で切除した中央凹部５Ａと、残った両端凸部６Ｂ、６Ｂを有する辺、又は、辺の中点から左及び右に伸びた長さと、前記厚みの幅で残した中央凸部６Ａと、切除した両端凹部５Ｂ、５Ｂを有する辺の何れかが形成され、前記各凸部６Ａ、６Ｂ、に辺と平行な貫通孔７が設けられ、前記中央凹部５Ａと前記中央凸部６Ａが嵌合するものと成っている。
【００２３】
そこで、接合するパネルを直角方向に、互いの中央凹部５Ａと中央凸部６Ａとを嵌合して組み立てると、両端凹部５Ｂと両端凸部６Ｂも障り無く嵌り合い、一直線状に連設した中央凸部６Ａと両端凸部６Ｂの貫通孔７に固定用ロッド８を嵌挿して固定することで、前面が開放された正六面体の箱状の家具１Ａが構成されている。
【００２４】
用いられるパネルは三種類あり、図２は対向する角を構成する一方の隣辺は中央凹部５Ａを形成し、他方の隣辺は中央凸部６Ａを形成したパネル２Ａ、図３は一辺に中央凸部６Ａを形成し、他の三辺は中央凹部５Ａを形成したパネル２Ｂ，及び図４は四辺に中央凹部５Ａを形成したパネル２Ｃである。
【００２５】
図１の箱状の家具では、上下左右を４枚のパネル２Ａで、後面をパネル２Ｃで組み立て、１２本の固定用ロッド８で固定したものである。
固定用ロッド８同士が干渉しないように、各パネルの一辺の長さよりも短く設計される。
【００２６】
また、開口した前面において、中央凹部５Ａの部分には固定用ロッド８が出現しており、中央凹部５Ａ内に物や人の手等が入って引っ掛かるのを防止し、また、内部の仕切りを係止する部材の取り付けに利用することもできる。
【００２７】
図５は、貫通孔７の表面に近い開口部分へ圧入する遮蔽蓋９であり、固定用ロッド８が抜け出すことを防止する。
また、遮蔽蓋９の頭部９１と圧入する貫通孔７の形成端面と面一にして体裁を良孔にするもの、或いは図６に示すように、頭部９１に摘み９２を突設して着脱操作を容易としたものが考えられる。
【００２８】
図７はパネル２Ａを構成する片面２１Ａの裏面図、図８は縦断側面図である。
樹脂成型で形成したもので、同一の片面２１Ａ同士の裏面を接合してパネル２Ａを形成することができる。
接合手段は材料樹脂に適合した接着剤や熱溶着、超音波溶着、振動溶着等の手段によって容易に成し得、また、パネルに爪形状と爪嵌合部を付加し、ワンタッチで爪勘合接合も可能である。
【００２９】
他のパネル２Ｂ及び２Ｃもパネル２Ａと同様に樹脂成型によって容易に形成できるものである。
しかし、各パネル及び固定用ロッド又は遮蔽蓋の素材は、樹脂に限定されるものでなく、木材、紙材或いは金属材等を任意に選択して形成できるものである。
【００３０】
図９は本発明の他の実施の形態を示す組み立てた状態を示す後面からの斜視図であり、図１の正六面体の箱状の家具１Ａを横方向へ二個繋げた横幅を有する六面体の箱状の家具１Ｂを示す。
この実施の形態では、パネル２Ｃが後面右側（図９において）に配置して組み立てられ、また、横幅方向に連続する貫通孔７、７・・に嵌挿する固定用ロッド８は１本通しの長さを有するものを使用する。
【００３１】
図１０は、図１の正六面体の箱状の家具１Ａを横方向及び垂直方向へ八個繋げ、縦横奥行きが２倍の正六面体の箱状の家具１Ｃを示すものである。
このように、三種類のパネルを利用することによって任意の形態の箱状の家具を構成可能となり、直線方向に連続する貫通孔に固定用ロッド８を嵌挿することで強固に形態を維持できるものである。
【００３２】
さらに、図１１乃至図１３は、上記三種類に加えて選択可能になる他のパネルであり、図１１は対向する辺同士の一方は中央凹部５Ａを形成し、他方は中央凸部６Ａを形成したパネル２Ｄ、図１２は一辺に中央凹部５Ａを形成し、他の三辺は中央凸部６Ａを形成したパネル２Ｅ，及び図１３は四辺に中央凸部６Ａを形成したパネル２Ｆである。
【００３３】
以上の六種類のパネルにおいて、形成された中央凹部５Ａ及び中央凸部６Ａは一辺の長さの３分の１と成っている（滑らかな嵌合を図るため、実際は中央凹部５Ａが中央凸部６Ａよりミリ単位で長くし、或いは明らかに長くしても良い。）。
しかし、図１４のパネル２Ｄにおいて、他の実施の形態例を示すように、形成する中央凹部５Ａ、又は中央凸部６Ａは辺の中点から左右へ伸びた長さを有するものであればよく、両端凸部６Ｂや両端凹部５Ｂの長さと異なっていても良い。
【００３４】
以上のように、本発明を図面に基づいて説明した実施の形態における具体的構成は一例であり、同様の作用効果を得られる他の構成又は手段を排除するものではない。
【符号の説明】
【００３５】
１Ａ，１Ｂ，１Ｃ                    家具
２Ａ，２Ｂ，２Ｃ，２Ｄ，２Ｅ，２Ｆ  パネル
３                                  長さ
４                                  幅
５Ａ                                中央凹部
５Ｂ                                両端凹部
６Ａ                                中央凸部
６Ｂ                                両端凸部
７                                  貫通孔
８                                  固定用ロッド
９                                  遮蔽蓋
９１                                頭部
９２                                摘み